(57)【要約】【課題】電源を遮断した場合、残留電力によって光源がユーザーが意図しない調光状態で点灯しない照明装置を提供する。【解決手段】電源ＡＣから電源供給される制御装置１および照明器具２１を備え、制御装置１は調光信号Ｓ１を照明器具２１に出力し、照明器具２１は、光源５２と、電源ＡＣを入力電源としコンデンサを備えた電源部８と、電源部８を入力電源とし光源５２を点灯させる光源駆動部５１と、調光信号Ｓ１に基づいて光源駆動部５１を制御して光源５２を調光制御する制御部３と、調光信号Ｓ１の入力状態を検出して、調光信号Ｓ１が未入力状態であることを検出すると光源５２を特定状態で点灯させる信号検出制御部４と、電源ＡＣから制御装置１および照明器具２１への電源供給が遮断された場合、電源部８のコンデンサに残留した残留電力によって光源５２を特定状態で点灯させない点灯制御手段とを備える。【選択図】図１
2011154842.tif 000002
【特許請求の範囲】
【請求項１】
外部電源から電源供給される制御装置および１台以上の照明器具を備え、
制御装置は、調光比を示す調光信号を照明器具に出力し、
照明器具は、光源と、外部電源を入力電源としコンデンサを備えた電源部と、当該電源部を入力電源とし光源を点灯させる光源駆動部と、電源部を入力電源とし調光信号に基づいて光源駆動部を制御して光源を調光制御する第１の制御部と、電源部を入力電源とし調光信号の入力状態を検出して、調光信号が未入力状態であることを検出すると光源を特定状態で点灯させる第２の制御部と、外部電源から制御装置および照明器具への電源供給が遮断された場合、電源部のコンデンサに残留した残留電力によって光源を前記特定状態で点灯させない点灯制御手段とを備えることを特徴とする照明装置。
【請求項２】
前記外部電源から前記照明器具への電源遮断を検出する電源検出手段を備え、
前記点灯制御手段は、電源検出手段が外部電源からの照明器具への電源遮断を検出すると、第２の制御部は調光信号が未入力状態であっても前記光源を前記特定状態で点灯させないことで構成されること特徴とする請求項１記載の照明装置。
【請求項３】
前記電源部から前記光源駆動部への電源供給をオン・オフする電源遮断手段を備え、
前記点灯制御手段は、前記電源検出手段が前記外部電源からの前記照明器具への電源遮断を検出すると、電源遮断手段は電源部から光源駆動部への電源供給を遮断し、前記光源を消灯させることで構成されることを特徴とする請求項１記載の照明装置。
【請求項４】
前記電源部から前記光源駆動部および前記第１の制御部への電源供給をオン・オフする電源遮断手段を備え、
前記点灯制御手段は、前記電源検出手段が前記外部電源からの前記照明器具への電源遮断を検出すると、前記電源遮断手段は、前記電源部から前記光源駆動部への電源供給を、電源部から前記第１の制御部への電源供給よりも先に遮断することで構成されることを特徴とする請求項３記載の照明装置。
【請求項５】
前記外部電源は交流電圧を出力しており、前記電源部は当該交流電圧を変換して直流電圧を生成しており、
前記電源検出手段は、直流電圧が所定値以下となると外部電源から前記照明器具への電源供給が遮断されたと判断することを特徴とする請求項２乃至４のいずれか１項に記載の照明装置。
【請求項６】
前記照明器具は他の照明器具に前記調光信号を中継する中継手段を備え、
調光信号が入力されなくなってから、第２の制御部が調光信号が未入力状態であると判定するまでの時間を判定時間、前記電源部の残留電力によって中継手段が調光信号を中継可能な時間を残留中継時間、電源部の残留電力によって前記光源駆動部が動作可能な時間を残留点灯時間とし、
中継手段を介して調光信号が直列に伝送される複数の照明器具のうち、残留中継時間が最短である照明器具の残留中継時間を最短中継時間、残留点灯時間が最長である照明器具の残留点灯時間を最長点灯時間とし、
前記点灯制御手段は、前記判定時間を、最長点灯時間から最短中継時間を減算した時間よりも長い時間となるように設定することで構成されることを特徴とする請求項１記載の照明装置。
【請求項７】
前記外部電源から前記制御装置および前記照明器具への電源供給を遮断する前に、制御装置から照明器具に遮断予告信号を出力し、第２の制御部は遮断予告信号を検出しており、前記点灯制御手段は、第２の制御部が遮断予告信号を検出して以降は前記調光信号が未入力状態であっても前記光源を前記特定状態で点灯させないことで構成されることを特徴とする請求項１記載の照明装置。
【発明の詳細な説明】
【技術分野】
【０００１】
本発明は、照明装置に関するものである。
【背景技術】
【０００２】
従来、複数の照明器具を信号線で直列接続し、調光信号を各照明器具間にシリアル伝送する照明装置が提供されている（例えば、特許文献１）。
【０００３】
図９に従来の照明装置のブロック構成図を示す。従来の照明装置は、商用電源ＡＣ（以下、電源ＡＣと略称する）を入力電源とする制御装置１００と、照明器具２００、２０１とで構成されている。制御装置１００と照明器具２００、２０１は信号線でシリアル接続されている。
【０００４】
制御装置１００は、調光比を示す調光信号Ｓ１を照明器具２００に出力する。そして、照明器具２００は、照明器具２０１に調光信号Ｓ１を転送出力する。また、照明器具２００、２０１は、光源を備えており、入力した調光信号Ｓ１に基づいて、光源を調光制御させる。
【０００５】
しかし、照明器具２００が故障したり、信号線が断線すると、照明器具２０１には調光信号Ｓ１が入力されず、照明器具２０１の光源が消灯する問題があった。そこで、従来の照明装置は、調光信号Ｓ１が一定時間、照明器具２００、２０１に入力されない場合は、光源を特定状態（例えば全点灯など）で強制点灯させていた。
【先行技術文献】
【特許文献】
【０００６】
【特許文献１】特開２００５−１５８５０５号公報
【発明の概要】
【発明が解決しようとする課題】
【０００７】
照明器具２００、２０１は、内部に電解コンデンサなどの大容量のコンデンサを備えており、電源ＡＣが遮断した後であってもコンデンサの残留電力によって、一定時間調光信号Ｓ１を転送出力したり、光源を点灯させることができる。
【０００８】
しかし、停電時や照明器具２００、２０１を消灯させるために電源ＡＣを一斉に遮断した場合、各照明器具２００、２０１の残留電力のバラツキによって、光源が一瞬点灯してしまう問題があった。
【０００９】
図１０（ａ）に、電源遮断後における照明器具２００の残留電力のタイミングチャート、図１０（ｂ）、電源遮断後における照明器具２０１の残留電力のタイミングチャートを示す。
【００１０】
図１０（ａ）（ｂ）において、時間ｔ０に電源ＡＣが遮断される。照明器具２００の残留電力によって、照明器具２０１に調光信号Ｓ１を転送出力することができる時間を残留中継時間Ｔ１とする。また、照明器具２０１の残留電力によって、光源を点灯させることができる時間を残留点灯時間Ｔ２とする。また、調光信号Ｓ１が入力しなくなってから、光源を強制点灯させるまでの時間を判定時間Ｔ０ａとする。照明器具２０１は、時間ｔ０から残留中継時間Ｔ１の間は、調光信号Ｓ１が入力され、調光信号Ｓ１に基づいて調光制御している。そして、残留中継時間Ｔ１が経過してから、さらに判定時間Ｔ０ａを経過すると、光源が特定状態で強制点灯される。
【００１１】
したがって、停電時や電源ＡＣを遮断した場合に、光源がユーザーが意図しない調光状態で点灯する問題があった。
【００１２】
本発明は、上記事由に鑑みてなされたものであり、その目的は、電源を遮断した場合、残留電力によって光源がユーザーが意図しない調光状態で点灯しない照明装置を提供することにある。
【課題を解決するための手段】
【００１３】
請求項１の発明は、外部電源から電源供給される制御装置および１台以上の照明器具を備え、制御装置は、調光比を示す調光信号を照明器具に出力し、照明器具は、光源と、外部電源を入力電源としコンデンサを備えた電源部と、当該電源部を入力電源とし光源を点灯させる光源駆動部と、電源部を入力電源とし調光信号に基づいて光源駆動部を制御して光源を調光制御する第１の制御部と、電源部を入力電源とし調光信号の入力状態を検出して、調光信号が未入力状態であることを検出すると光源を特定状態で点灯させる第２の制御部と、外部電源から制御装置および照明器具への電源供給が遮断された場合、電源部のコンデンサに残留した残留電力によって光源を前記特定状態で点灯させない点灯制御手段とを備えることを特徴とする。
【００１４】
この発明によれば、点灯制御手段によって、電源部のコンデンサに残留した残留電力で光源を特定状態で点灯させない。したがって、外部電源から制御装置および照明器具への電源供給が遮断され、照明器具に調光信号が未入力状態であっても、残留電力によって光源が点灯することはない。
【００１５】
請求項２の発明は、請求項１の発明において、前記外部電源から前記照明器具への電源遮断を検出する電源検出手段を備え、前記点灯制御手段は、電源検出手段が外部電源からの照明器具への電源遮断を検出すると、第２の制御部は調光信号が未入力状態であっても前記光源を前記特定状態で点灯させないことで構成されること特徴とする。
【００１６】
この発明によれば、電源検出手段が外部電源からの電源供給が遮断されたことを検出すると、信号検出部は調光信号が未入力状態であっても、光源を特定状態で点灯させない。したがって、残留電力によって光源が点灯することはない。
【００１７】
請求項３の発明は、請求項１の発明において、前記電源部から前記光源駆動部への電源供給をオン・オフする電源遮断手段を備え、前記点灯制御手段は、前記電源検出手段が前記外部電源からの前記照明器具への電源遮断を検出すると、電源遮断手段は電源部から光源駆動部への電源供給を遮断し、前記光源を消灯させることで構成されることを特徴とする。
【００１８】
この発明によれば、電源検出手段が外部電源からの電源供給が遮断されたことを検出すると、電源遮断手段が電源部から電源駆動部への電源供給を遮断して光源を消灯させる。したがって、電源部の残留電力によって光源が点灯することはない。
【００１９】
請求項４の発明は、請求項３の発明において、前記電源部から前記光源駆動部および前記第１の制御部への電源供給をオン・オフする電源遮断手段を備え、前記点灯制御手段は、前記電源検出手段が前記外部電源からの前記照明器具への電源遮断を検出すると、前記電源遮断手段は、前記電源部から前記光源駆動部への電源供給を、電源部から前記第１の制御部への電源供給よりも先に遮断することで構成されることを特徴とする。
【００２０】
この発明によれば、電源検出手段が外部電源からの電源供給が遮断されたことを検出すると、電源遮断手段は制御部よりも先に光源駆動部への電源供給を遮断して光源を消灯させる。したがって、電源部の残留電力によって光源が点灯することはない。
【００２１】
請求項５の発明は、請求項２乃至４のいずれか１項に記載の発明において、前記外部電源は交流電圧を出力しており、前記電源部は当該交流電圧を変換して直流電圧を生成しており、前記電源検出手段は、直流電圧が所定値以下となると外部電源から前記照明器具への電源供給が遮断されたと判断することを特徴とする。
【００２２】
この発明によれば、電源検出手段は、電源部が出力する直流電圧を検出し、直流電圧が所定値以下となるど外部電源からの電源供給が遮断されたと判断する。そのため、電源検出手段の構成を簡易化することができる。
【００２３】
請求項６の発明は、請求項１の発明において、前記照明器具は他の照明器具に前記調光信号を中継する中継手段を備え、調光信号が入力されなくなってから、第２の制御部が調光信号が未入力状態であると判定するまでの時間を判定時間、前記電源部の残留電力によって中継手段が調光信号を中継可能な時間を残留中継時間、電源部の残留電力によって前記光源駆動部が動作可能な時間を残留点灯時間とし、中継手段を介して調光信号が直列に伝送される複数の照明器具のうち、残留中継時間が最短である照明器具の残留中継時間を最短中継時間、残留点灯時間が最長である照明器具の残留点灯時間を最長点灯時間とし、前記点灯制御手段は、前記判定時間を、最長点灯時間から最短中継時間を減算した時間よりも長い時間となるように設定することで構成されることを特徴とする。
【００２４】
この発明によれば、調光信号が入力されなくなってから調光信号が未入力状態であると判定するまでの判定時間を、最長点灯時間から最短中継時間を減算した時間よりも長く設定する。外部電源からの電源供給が遮断され、調光信号が入力されなくなってから未入力状態であると判定する前に、残留電力が低減して光源を点灯させることができないので、残留電力によって光源が点灯することはない。また、複数台の照明器具のうち最長点灯時間および最短中継時間を用いて判定時間を設定する。それによって、各照明器具に残留電力のばらつきがあっても、１つの判定時間を設定することで、残留電力による光源の特定状態の点灯を防止することができる。
【００２５】
請求項７の発明は、請求項１の発明において、前記外部電源から前記制御装置および前記照明器具への電源供給を遮断する前に、制御装置から照明器具に遮断予告信号を出力し、第２の制御部は遮断予告信号を検出しており、前記点灯制御手段は、第２の制御部が遮断予告信号を検出して以降は前記調光信号が未入力状態であっても前記光源を前記特定状態で点灯させないことで構成されることを特徴とする。
【００２６】
この発明によれば、電源供給を遮断する際に、制御装置から遮断予告信号を出力して、第２の制御部が遮断予告信号を検出すると、調光信号が未入力状態であっても、光源を特定状態で点灯させない。それによって、電源供給を遮断した際に、残留電力によって光源が点灯することはない。
【発明の効果】
【００２７】
以上説明したように、本発明では、電源を遮断した場合、残留電力によって光源がユーザーが意図しない調光状態の点灯を防止することができるという効果がある。
【図面の簡単な説明】
【００２８】
【図１】本発明の実施形態１の照明器具のブロック構成を示す図である。
【図２】本発明の照明装置のブロック構成を示す図である。
【図３】同上の実施形態２の照明器具のブロック構成を示す図である。
【図４】同上の実施形態３の照明器具のブロック構成を示す図である。
【図５】同上の実施形態４の照明器具のブロック構成を示す図である。
【図６】（ａ）（ｂ）同上の残留電力によるタイミングチャートを示す図である。
【図７】同上の実施形態４の第２の照明器具のブロック構成を示す図である。
【図８】同上の実施形態４の第２の照明器具の回路構成を示す図である。
【図９】従来の照明装置のブロック構成を示す図である。
【図１０】（ａ）（ｂ）同上の残留電力によるタイミングチャートを示す図である。
【発明を実施するための形態】
【００２９】
以下、本発明の実施の形態を図面に基づいて説明する。
【００３０】
（実施形態１）
本発明の照明装置のブロック構成図を図２に示す。本発明の照明装置は、制御装置１と複数の照明器具２で構成されている。
【００３１】
制御装置１は、商用電源ＡＣ（以下、電源ＡＣと略称する）を入力電源としており、スイッチＳＷ１を介して電源供給される。スイッチＳＷ１は、電源ＡＣから制御装置１への電源供給をオン・オフする。制御装置１は、信号線を介して照明器具２に調光信号Ｓ１を出力する。
【００３２】
照明器具２は、電源ＡＣを入力電源としており、スイッチＳＷ２を介して電源供給される。スイッチＳＷ２は、電源ＡＣから照明器具２への電源供給をオン・オフする。
【００３３】
また、制御装置１および各照明器具２は、信号線でシリアル接続されている。そして、制御装置１から出力された調光信号Ｓ１が照明器具２に入力すると、照明器具２は接続された他の照明器具２に調光信号Ｓ１を転送出力する。
【００３４】
図１に、実施形態１の照明器具２１のブロック構成図を示す。
【００３５】
本実施形態の照明器具２１は、制御部３（第１の制御部）と、信号検出制御部４（第２の制御部）と、光源部５と、信号入力部６と、信号出力部７と、電源部８と、電源遮断検知部９とで構成されている。
【００３６】
電源部８は、電源ＡＣから出力される交流電圧Ｖａｃを直流電圧Ｖｄｃに変換するＡＣ／ＤＣコンバータ（図示なし）を備えている。また、制御部３と信号検出制御部４と光源部５と信号入力部６と信号出力部７とは、電源部８が生成する直流電圧Ｖｄｃを入力電源としている。また、電源部８は、電解コンデンサなどの大容量のコンデンサ（図示なし）を備えている。そのため、電源ＡＣからの電源供給が遮断されても、残留電力によって一定時間、直流電圧Ｖｄｃを出力することができる。
【００３７】
信号入力部６は、制御装置１または他の照明器具２１から出力される調光信号Ｓ１が入力される入力インターフェースである。信号入力部６は、入力した調光信号Ｓ１を制御部３が扱うことができる調光信号Ｓ１ａに変換して制御部３に出力する。なお、調光信号Ｓ１および調光信号Ｓ１ａが示す調光比は同じである。
【００３８】
制御部３は、信号入力部６から出力される調光信号Ｓ１ａが示す調光比に基づいた出力レベルの調光制御信号Ｓ２を生成し光源部５に出力する。光源部５は、入力段に備えられた光源駆動部５１と光源５２とで構成されている。光源駆動部５１に制御部３から調光制御信号Ｓ２が出力されると、光源駆動部５１は調光制御信号Ｓ２の出力レベルに基づいて光源５２を調光制御する。
【００３９】
また、制御部３は、信号入力部６から出力された調光信号Ｓ１ａを、信号出力部７に転送出力する。信号出力部７は、他の照明器具２１に調光信号Ｓ１を出力する出力インターフェースである。信号出力部７は、制御部３から出力される調光信号Ｓ１ａを、調光信号Ｓ１に変換して、他の照明器具２１に出力する。つまり、照明器具２１に入力された調光信号Ｓ１は、信号入力部６と制御部３と信号出力部７とを介して、他の照明器具２１に転送出力される。
【００４０】
また、制御部３は、調光信号Ｓ１ａを信号検出制御部４に出力する。信号検出制御部４は、タイマー機能を有しており調光信号Ｓ１ａが一定時間未入力状態であると、強制信号Ｓ３を光源部５に出力する。そして、強制信号Ｓ３が光源駆動部５１に出力されると、光源駆動部５１は光源５２を特定状態で強制点灯させる。なお、特定状態とは光源５２の全点灯状態または、点滅状態などを示す。それによって、調光信号Ｓ１を伝達する信号線が断線した場合や、前段に設けられた照明器具２１が故障して、照明器具２１に調光信号Ｓ１が入力されなくなった場合に、光源５２が消灯するのを防止することができる。
【００４１】
また、電源遮断検知部９は、電源ＡＣから交流電圧Ｖａｃが印加されている。そして、電源ＡＣが遮断され、電源供給が停止すると、電源遮断検知部９は制御部３に電源遮断を示す遮断検知信号Ｓ４を出力する。
【００４２】
制御部３は、遮断検知信号Ｓ４が入力された後に入力される調光信号Ｓ１ａを無視し、遮断検知信号Ｓ４が入力される直前の調光信号Ｓ１ａを用いて、調光制御信号Ｓ２を出力して光源５２を調光制御する。また、制御部３は、遮断検知信号Ｓ４が入力される直前の調光信号Ｓ１ａを信号出力部７と信号検出制御部４に出力する。したがって、信号検出制御部４は、電源ＡＣの電源遮断による調光信号Ｓ１ａの未入力状態を検出することはないので、強制信号Ｓ３は光源駆動部５１に出力されない。なお、本実施形態では、遮断検知信号Ｓ４が出力されると、制御部３は消灯を示す調光制御信号Ｓ２を出力して光源５２を消灯してもよい。
【００４３】
上記の構成によって、電源ＡＣを遮断した場合、電源部８の残留電力によって光源５２がユーザーが意図しない特定状態で点灯することを防止することができる。
【００４４】
また、電源遮断検知部９を電源部８の出力段に設けてもよい。電源遮断検知部９は、電源部８が出力する直流電圧Ｖｄｃを検出する。そして、直流電圧Ｖｄｃが所定値以下となると、電源遮断検知部９は電源ＡＣからの電源供給が遮断されたと判断し、制御部３に遮断検知信号Ｓ４を出力する。電源遮断検知部９は、直流電圧Ｖｄｃを検出するので、電源遮断検知部９の構成を簡易化することができる。
【００４５】
（実施形態２）
図３に、実施形態２の照明器具２２のブロック構成図を示す。本実施形態の照明器具２２は、制御部３と、信号検出制御部４と、光源部５と、信号入力部６と、信号出力部７と、電源部８と、リレー１０とで構成されている。実施形態１で説明した照明器具２１との差異は、電源遮断検知部９を備えておらず、リレー１０を備えている点である。なお、実施形態１で説明した照明器具２１と同一の構成には、同一符号を付して説明は省略する。
【００４６】
リレー１０は、機械式の交流リレーであり、励磁コイル１０ａ（電源検出手段）と接点１０ｂ（電源遮断手段）とで構成されている。励磁コイル１０ａは、電源ＡＣに接続されている。接点１０ｂは、ａ接点タイプであり、電源部８と光源部５の間に接続されている。リレー１０は、上記の構成で、励磁コイル１０ａに交流電圧Ｖａｃが印加されると、接点１０ｂがオンして、電源部８と光源部５とが導通する。また、電源ＡＣが遮断し、励磁コイル１０ａに交流電圧Ｖａｃが印加されなくなると、接点１０ｂがオフして、電源部８と光源部５とが遮断され、光源５２は消灯する。したがって、信号検出制御部４が調光信号Ｓ１ａの未入力を検出し、強制信号Ｓ３を出力しても、光源部５と電源部８とが遮断されているので、光源５２は点灯しない。
【００４７】
上記の構成で本実施形態の照明装置は、停電時や、電源ＡＣの遮断時にリレー１０が電源部８から光源部５への電源供給を遮断して、光源５２を消灯させる。そのため、電源部８の残留電力によって光源５２が特定状態で点灯することはない。
【００４８】
また、リレー１０は電源ＡＣが遮断されると直ちに電源部８から光源部５への電源供給を遮断するので、各照明器具２２の残留電力のばらつきによる影響はない。
【００４９】
なお、本実施形態では、リレー１０に機械式の交流リレーを用いたが、半導体式の交流リレーまたは、機械式と半導体式を組み合わせた交流リレーを用いてもよい。
【００５０】
また、電源部８から制御部３への電源供給をオン・オフする接点（図示なし）を有するリレー（図示無し）を備える構成としてもよい。電源ＡＣが遮断した場合、先に接点１０ｂがオフして電源部８から光源部５への電源供給を遮断した後に、電源部８から制御部３への電源供給を遮断する構成とする。それによって、より確実に光源部５への電源供給を遮断することができるので、残留電力によって光源５２が特定状態で点灯することはない。
【００５１】
（実施形態３）
図４に、実施形態３の照明器具２３のブロック構成図を示す。本実施形態の照明器具２３は、制御部３ａと、信号検出制御部４ａと、光源部５と、信号入力部６と、信号出力部７と、電源部８とで構成されている。なお、実施形態１で説明した照明器具２１と同一の構成には、同一符号を付して説明は省略する。
【００５２】
本実施形態の制御部３ａは、マイコンなどで構成されおり、デジタル信号からなる調光信号Ｓ１´が信号入力部６を介して入力される。また、本実施形態の照明装置は、電源ＡＣを遮断する場合、事前に制御装置１がデジタル信号からなる電源遮断予告信号Ｓ５（ＳＨＵＴ  ＤＯＷＮ信号）を出力する。デジタル信号からなる調光信号Ｓ１´は、一定のパターンでハイレベルとローレベルとを繰り返すことで調光比を示している。また、制御部３ａの故障時や信号線が断線などの異常時には、制御部３ａが転送出力する調光信号Ｓ１´が出力レベルが変化しなくなる。信号検出制御部４ａは、制御部３ａが出力する調光信号Ｓ１´を検出しており、調光信号Ｓ１´の出力レベルが一定時間以上変化しないと異常と判定し、光源部５に強制信号Ｓ３を出力して、光源５２を特定状態で点灯させる。
【００５３】
電源遮断予告信号Ｓ５が、信号入力部６を介して制御部３ａに入力されると、制御部３ａは消灯を示す出力レベルの調光制御信号Ｓ２を光源駆動部５１に出力して、光源５２を消灯させる。また、制御部３ａは、信号出力部７に電源遮断予告信号Ｓ５を出力し、他の照明器具２３に電源予告信号Ｓ５を転送出力する。また、制御部３ａは信号検出制御部４ａに電源遮断予告信号Ｓ５を出力する。信号検出制御部４ａは、電源遮断予告信号Ｓ５が入力されると、調光信号Ｓ１´が未入力状態（出力レベルが変化しない状態）であっても、光源部５に強制信号Ｓ３を出力しない。したがって、電源ＡＣが遮断後に、調光信号Ｓ１´が未入力状態であっても、電源部８の残留電力によって光源５２が特定状態で点灯することを防止することができる。
【００５４】
（実施形態４）
図５に、実施形態４の照明器具２４のブロック構成図を示す。本実施形態の照明器具２４は、制御部３と、信号検出制御部４ｂと、光源部５と、信号入力部６と、信号出力部７と、電源部８とで構成されている。なお、実施形態１で説明した照明器具２１と同一の構成には、同一符号を付して説明は省略する。
【００５５】
図２に示すように、複数の照明器具２４が直列接続されており、制御装置１に近い前段側の照明器具２４ａと、照明器具２４ａの後段に接続された照明器具２４ｂとする。
【００５６】
図６（ａ）に、電源ＡＣ遮断後における照明器具２４ａの残留電力のタイミングチャート、図６（ｂ）、電源ＡＣ遮断後における照明器具２４ｂの残留電力のタイミングチャートを示す。
【００５７】
図６（ａ）（ｂ）において、時間ｔ０に電源ＡＣが遮断される。また、照明器具２４ａ、２４ｂは残留電力にばらつきが生じており、照明器具２４ａの残留電力は、照明器具２４ｂの残留電力よりも少ない。照明器具２４ａの残留電力によって、制御部３が調光信号Ｓ１を転送出力することができる時間を残留中継時間Ｔ１とする。また、照明器具２４ｂの残留電力によって、光源５２を点灯させることができる時間を残留点灯時間Ｔ２とする。また、信号検出制御部４ｂが調光信号１ａが未入力状態であると判定するまでの時間を判定時間Ｔ０とする。
ここで、本実施形態の信号検出制御部４ｂは、判定時間Ｔ０がＴ０＜Ｔ２−Ｔ１となるように設定されている。判定時間Ｔ０を上記のように設定することによって、電源ＡＣが遮断した場合、照明器具２４ｂにおいて、時間ｔ０から残留中継時間Ｔ１と判定時間Ｔ０とが経過する前に、残留点灯時間Ｔ２が経過している。したがって、信号検出制御部４ｂから強制信号Ｓ３が出力されても、光源５２を点灯させる残留電力が供給されていないので、光源５２が特定状態で点灯することはない。
【００５８】
また、照明器具２４がさらに複数台接続されている場合について説明する。接続されている複数の照明器具２４のうち、残留中継時間Ｔ１が最短である照明器具２４の残留中継時間Ｔ１を最短中継時間Ｔ１ｍｉｎとする。また、複数の照明器具２４のうち、残留点灯時間Ｔ２が最長である照明器具２４の残留点灯時間Ｔ２を最長点灯時間Ｔ２ｍａｘとする。そして、信号検出制御部４ｂに設定する判定時間Ｔ０をＴ０＜Ｔ２ｍａｘ−Ｔ１ｍｉｎとする。それによって、各照明器具２４の残留電力がばらついた場合であっても、各照明器具２４に共通の判定時間Ｔ０を設定することができ、残留電力による光源５２の点灯を防止することができる。
【００５９】
次に、デジタル信号で構成された調光信号Ｓ１´に対応した照明器具２５を図７、図８に示す。図７は、照明器具２５のブロック構成図である。図８は、照明器具２５の概略回路構成図である。
【００６０】
照明器具２５は、制御部３ａと、信号検出制御部４ｃと、光源部５と、信号入力部６と、信号出力部７と、電源部８とで構成されている。なお、実施形態１で説明した照明器具２１と同一の構成には、同一符号を付して説明は省略する。
【００６１】
信号検出制御部４ｃは、遅延機能付きリセットＩＣ４１（以下、リセットＩＣと略称する）と、強制信号出力部４２とで構成されている。リセットＩＣ４１は、制御部３ａから出力される調光信号Ｓ１´を検出しており、調光信号Ｓ１´の出力レベルが一定時間以上変化しないと異常と判定する。そして、リセットＩＣ４１は強制信号出力部４２を介して光源部５に強制信号Ｓ３を出力して、光源５２を特定状態で点灯させる。また、図８に示すようにリセットＩＣ４１は、コンデンサＣ１を備えており、コンデンサＣ１の容量を変更することで、異常と判定するまでの判定時間Ｔ０を制御している。
【００６２】
そして、上記で説明したように、判定時間Ｔ０をＴ０＜Ｔ２ｍａｘ−Ｔ１ｍｉｎと設定することによって、電源ＡＣ遮断時に、残留電力による光源５２の特定状態での点灯を防止することができる。
【００６３】
また、本実施形態では、電源遮断検知部９やリレー１０を設ける必要がない。また、制御部３を電源遮断予告信号Ｓ５に対応させる特別なソフト開発の必要がない。また、消灯を示す調光信号Ｓ１が出力されている状態において、停電や電源ＡＣを遮断した場合でも、電源部８の残留電力によって光源５２が特定状態で点灯することはない。したがって、景観照明などで用いることができる照明装置を安価に提供することができる。
【符号の説明】
【００６４】
３    制御部
４    信号検出制御部
５    光源部
６    信号入力部
７    信号出力部
８    電源部
９    電源遮断検知部
２１  照明器具
５１  光源駆動部
５２  光源
Ｓ１  調光信号
Ｓ２  調光制御信号
Ｓ３  強制信号
Ｓ４  遮断検知信号
【図１】
2011154842.tif 000003
【図２】
2011154842.tif 000004
【図３】
2011154842.tif 000005
【図４】
2011154842.tif 000006
【図５】
2011154842.tif 000007
【図６】
2011154842.tif 000008
【図７】
2011154842.tif 000009
【図８】
2011154842.tif 000010
【図９】
2011154842.tif 000011
【図１０】
2011154842.tif 000012